(57)【要約】  個人の複合イメージを生成するための装置であって、装置は、その個人のビデオイメージを生成するためのビデオカメラと、その個人のサーマルイメージを生成するためのサーマルイメージングカメラとを含む。ビデオカメラは、第１の視野を有し、サーマルイメージングカメラは、第２の視野を有し、第２の視野は、第１の視野と少なくとも重なり合う。ビデオイメージとサーマルイメージは、モニタのスクリーン上において隣接する関係でのリアルタイムの表示向けである。また、イメージをキャプチャするための方法も開示される。
2006528474.tif 000002
【特許請求の範囲】
【請求項１】
個人の複合イメージを生成するための装置であって、
前記個人の第１のイメージを生成するための第１のカメラと、
前記第１のイメージとは異なるカテゴリの、前記個人の第２のイメージを生成するための第２のカメラとを含み、前記第１のカメラは、第１の視野を有し、前記第２のカメラは、第２の視野を有し、前記第２の視野は、前記第１の視野と少なくとも部分的に重なり合う装置。
【請求項２】
前記第２の視野は、前記第１の視野と一致し、前記第１の視野以下の大きさである請求項１に記載の装置。
【請求項３】
前記第１のカメラは、カラービデオカメラであり、前記第１のイメージは、カラービデオイメージである請求項１に記載の装置。
【請求項４】
前記第２のカメラは、サーマルイメージングカメラであり、前記第２のイメージは、サーマルイメージである請求項１に記載の装置。
【請求項５】
前記第１のカメラは、カラービデオカメラであり、前記第１のイメージは、カラービデオイメージであり、前記第２のカメラは、サーマルイメージングカメラであり、前記第２のイメージは、サーマルイメージである請求項１に記載の装置。
【請求項６】
前記第１のイメージおよび前記第２のイメージは、モニタのスクリーン上における隣接する関係でのリアルタイムの表示向けである請求項１に記載の装置。
【請求項７】
前記サーマルイメージは、カラー／温度スケールを含む請求項４に記載の装置。
【請求項８】
前記第１のカメラおよび前記第２のカメラは、前記個人が、前記第２の視野および前記第１の視野の範囲内に入っている場合、前記第１のイメージおよび前記第２のイメージをそれぞれ同時に、継続的にキャプチャする請求項１に記載の装置。
【請求項９】
前記第１のイメージは、前記個人の顔を含む請求項８に記載の装置。
【請求項１０】
前記個人の体温が所定の最高温度を超えているかどうかを判定するため、および前記個人の前記体温が前記所定の最高温度を超えている場合、イベントを生成するためのサーマルイメージング処理システムをさらに含む請求項６に記載の装置。
【請求項１１】
前記個人の体温が所定の最低温度より低いかどうかを判定するため、および前記個人の前記体温が前記所定の最低温度より低い場合、イベントを生成するためのサーマルイメージング処理システムをさらに含む請求項６に記載の装置。
【請求項１２】
前記個人の体温が所定の温度範囲を外れているかどうかを判定するため、および前記個人の前記体温が前記所定の温度範囲を外れている場合、イベントを生成するためのサーマルイメージング処理システムをさらに含む請求項６に記載の装置。
【請求項１３】
前記所定の温度範囲は、所定の最低温度から所定の最高温度までである請求項１２に記載の装置。
【請求項１４】
前記第１のイメージおよび前記第２のイメージを記録し、格納する記録デバイスをさらに含む請求項１に記載の装置。
【請求項１５】
前記複合イメージは、静止イメージ、毎秒、所定のフレーム数の連続的イメージ、およびイメージデータを含む請求項１に記載の装置。
【請求項１６】
視野に入っている個人の複合イメージを生成するための装置であって、
前記個人のカラービデオイメージを生成するためのデジタルビデオカメラと、前記個人のカラーサーマルイメージを生成するためのサーマルイメージングカメラと、前記カラービデオイメージ、前記カラーサーマルイメージ、およびレコーディングデータをリアルタイムで記録するための記録システムとを含み、前記カラーデジタルイメージおよび前記カラーサーマルイメージは、モニタのスクリーン上で隣接するリアルタイムの表示向けである装置。
【請求項１７】
個人の複合イメージを提供するための方法であって、
（ａ）前記個人が、第１のカメラの第１の視野に入っている場合、該第１のカメラで前記個人の第１のイメージを撮影するステップと、
（ｂ）前記個人が、第２のカメラの第２の視野に入っている場合、該第２のカメラで前記個人の第２のイメージを撮影するステップであって、
前記第２の視野は、前記第１の視野と少なくとも部分的に重なり合い、前記第２のイメージは、前記第１のイメージとは異なるカテゴリであるステップと、
（ｃ）前記第１のイメージと前記第２のイメージを表示スクリーン上において隣接する関係で表示するステップとを含む方法。
【請求項１８】
前記第２の視野は、前記第１の視野と一致し、前記第１の視野以下の大きさである請求項１７に記載の方法。
【請求項１９】
前記第１のカメラは、カラービデオカメラであり、前記第１のイメージは、カラービデオイメージである請求項１７に記載の方法。
【請求項２０】
前記第２のカメラは、サーマルイメージングカメラであり、前記第２のイメージは、サーマルイメージである請求項１７に記載の方法。
【請求項２１】
前記第１のカメラは、カラービデオカメラであり、前記第１のイメージは、カラービデオイメージであり、前記第２のカメラは、サーマルイメージングカメラであり、前記第２のイメージは、サーマルイメージである請求項１７に記載の方法。
【請求項２２】
前記第１のイメージおよび前記第２のイメージは、リアルタイムで表示される請求項１７に記載の方法。
【請求項２３】
前記サーマルイメージは、カラー／温度スケールを含む請求項２０に記載の方法。
【請求項２４】
前記第１のカメラおよび前記第２のカメラは、前記個人が、前記第２の視野および前記第１の視野の範囲内に入っている場合、前記第１のイメージおよび前記第２のイメージをそれぞれ同時に、継続的にキャプチャする請求項１７に記載の方法。
【請求項２５】
前記第１のイメージは、前記個人の顔を含む請求項２４に記載の方法。
【請求項２６】
前記第１のイメージの前記表示は、前記第２のイメージの前記表示にマップされることが可能である請求項１７に記載の方法。
【請求項２７】
前記第２のイメージの前記表示は、前記第１のイメージの前記表示にマップされることが可能である請求項１７に記載の方法。
【請求項２８】
前記個人の体温が所定の最高温度を超えているかどうかを判定するステップと、
前記個人の前記体温が前記所定の最高温度を超えている場合、イベントを生成するステップとをさらに含む請求項２１に記載の方法。
【請求項２９】
前記個人の体温が所定の最低温度より低いかどうかを判定するステップと、
前記個人の前記体温が前記所定の最低温度より低い場合、イベントを生成するステップとをさらに含む請求項２１に記載の方法。
【請求項３０】
前記個人の体温が所定の温度範囲を外れているかどうかを判定するステップと、
前記個人の前記体温が前記所定の温度範囲を外れている場合、イベントを生成するステップとをさらに含む請求項２１に記載の方法。
【請求項３１】
前記所定の温度範囲は、所定の最低温度から所定の最高温度までである請求項３０に記載の方法。
【請求項３２】
前記第１のイメージおよび前記第２のイメージをフレームごとに記録し、格納する記録デバイスをさらに含む請求項１７に記載の方法。
【請求項３３】
前記第１のイメージおよび前記第２のイメージは、静止イメージ、毎秒、所定のフレーム数の連続的イメージ、およびイメージデータを含む請求項２４に記載の方法。
【請求項３４】
視野に入っている個人の複合イメージを生成するための方法であって、
（ａ）前記個人のカラービデオイメージをデジタルビデオカメラで撮影するステップと、
（ｂ）前記個人のサーマルイメージをサーマルイメージングカメラで撮影するステップと、
（ｃ）前記カラービデオイメージと前記サーマルイメージをモニタのスクリーン上において隣接する関係でリアルタイムで表示するステップと、
（ｄ）前記カラービデオイメージ、前記サーマルイメージ、およびレコーディングデータをリアルタイムで記録するために記録システムを使用するステップとを含む方法。
【発明の詳細な説明】
【技術分野】
【０００１】
本発明は、複合イメージングシステムに関し、特に、ただし、排他的にではなく、個人の複数の異なる形態のイメージが、同時に表示され、記録されることが可能な複合イメージングシステムに関係する。
【背景技術】
【０００２】
セキュリティシステムは、極めてしばしば、個人が、例えば、管理された環境などの場所にいる場合、顔認識の目的で、その個人の顔のリアルタイムビデオイメージを撮影する。同様に、人々のサーマルイメージも、高い、または低い身体温度を検出し、これにより、その個人が、感染症を有する、大きなストレスを受けている可能性を検出するために、あるいはセキュリティの目的で、それらの人々の熱特性を判定するために撮影される。管理された環境には、例えば、空港、船のターミナル、鉄道の駅、病院、オフィスビル、軍用基地、工場、商業施設などの場所が含まれる。これらは、セキュリティが問題となる可能性がある場所である。セキュリティには、武器の検出、疑わしい個人を識別することなどが含まれるだけでなく、伝染病を有する可能性がある人々を検出することも含まれる。
【発明の開示】
【発明が解決しようとする課題】
【０００３】
サーマルイメージングのための既存のシステムは、個人を識別しない。多数の人々が関わっている場合、これにより、サーマルイメージングシステムの有効性が小さくなる可能性がある。また、これにより、サーマルイメージが撮影されてからいくらか経った後、人々を識別し、探し出すように元を辿るのも困難になる。
【０００４】
さらに、サーマルイメージングのための既存のシステムは、オペレータを頼りにして、個人が、さらなる調査を受けるべきかを判定する。オペレータによる判断の誤り、またはオペレータの集中力の低下が、重大な悪い結果をもたらす可能性がある。
[課題を解決するための手段]
【０００５】
本発明の一態様によれば、個人の複合イメージを生成するための装置が提供され、装置は、個人の第１のイメージを生成するための第１のカメラと、個人の第２のイメージを生成するための第２のカメラとを含む。第２のイメージは、第１のイメージとは異なるカテゴリのものである。第１のカメラは、第１の視野を有し、第２のカメラは、第２の視野を有する。第２の視野は、少なくとも部分的に第１の視野と重なり合う。好ましくは、第２の視野は、第１の視野と一致し（ｃｏｉｎｃｉｄｅｎｔ）、第１の視野以下の大きさである。
【０００６】
第２の形態では、個人の複合イメージを提供するための方法が提供され、その方法は、
（ａ）その個人が第１のカメラの第１の視野に入っている場合に、第１のカメラでその個人の第１のイメージを撮影するステップと、
（ｂ）その個人が第２のカメラの第２の視野に入っている場合に、第２のカメラを使用してその個人の第２のイメージを撮影するステップであって、第２の視野は、第１の視野と少なくとも部分的に重なり合い、第２のイメージは、第１のイメージとは異なるカテゴリであるステップと、
（ｃ）第１のイメージと第２のイメージを表示スクリーン上において隣接する関係で表示するステップとを含む。
【０００７】
好ましくは、第２の視野は、第１の視野と一致し、第１の視野以下の大きさである。両方の形態で、イメージは、モニタのスクリーン上において隣接する関係でのリアルタイムの表示向けであることが可能である。
【０００８】
第１のカメラは、カラービデオカメラであることが可能であり、第１のイメージは、カラービデオイメージであることが可能であり、第２のカメラは、サーマルイメージングカメラであることが可能であり、第２のイメージは、サーマルイメージであることが可能である。サーマルイメージは、カラー／温度スケールを含むことが可能である。
【０００９】
好ましくは、第１のカメラおよび第２のカメラは、個人が第２の視野および第１の視野に入っている場合に、第１のイメージおよび第２のイメージをそれぞれ同時に、継続的にキャプチャする。第１のイメージは、好ましくは、個人の顔である。
【００１０】
個人の体温が、所定の最高温度を超えているかどうかを判定するため、および個人の体温が、所定の最高温度を超えている場合、イベントを生成するための温度イメージング処理システムが含まれることが可能である。代替として、またはさらに、サーマルイメージング処理システムは、個人の体温が、所定の最低温度より低いかどうかを判定すること、および個人の体温が、所定の最低体温より低い場合、イベントを生成することに向けられることも可能である。また、サーマルイメージング処理システムは、個人の体温が、所定の温度範囲から外れているかどうかを判定すること、および個人の体温が、所定の温度範囲を外れている場合、イベントを生成することにも向けられることが可能である。所定の温度範囲は、所定の最低温度から所定の最高温度までであることが可能である。アンドイベントを生成することは、警報を発すること、警告を発することなどであることが可能である。
【００１１】
第１のイメージおよび第２のイメージを記録し、格納する記録デバイスが存在することが可能である。記録は、カラーであることが可能である。第１のイメージと第２のイメージは、別々に格納されても、一緒に格納されてもよい。記録される際、開始の日付と時刻、第１の日付と時刻、および場所などのレコーディングデータも記録されることが可能である。
【００１２】
イメージには、静止イメージ、毎秒、所定のフレーム数の連続的イメージ、およびイメージデータが含まれることが可能である。
最後の形態では、視野に入っている個人の複合イメージを生成するための装置が提供され、装置は、個人のカラービデオイメージを生成するためのデジタルビデオカメラと、個人のカラーサーマルイメージを生成するためのサーマルイメージングカメラと、カラービデオイメージ、カラーサーマルイメージ、およびレコーディングデータをリアルタイムで記録するための記録システムとを含み、カラービデオイメージとカラーサーマルイメージは、モニタのスクリーン上で隣接したリアルタイムの表示向けである。
【００１３】
本発明が、よりよく理解され、容易に実施されることが可能であるように、本発明の好ましい諸実施形態を、限定的ではない例として以下に説明し、説明は、添付の例示的な図面を参照する。
【発明を実施するための最良の形態】
【００１４】
図１を最初に参照すると、異なるカテゴリの２つのカメラ１０、２０を使用する好ましい形態のシステムアーキテクチャが示されている。カメラ１０、２０は、例えば、ビデオ、サーマルイメージング、リア赤外線、紫外線、ｘ線などの、任意のカテゴリの既知のカメラから選択されることが可能である。
【００１５】
図示するとおり、個人の第１の形態のイメージを提供するための第１のカメラ１０が存在する。第１の形態のイメージは、好ましくは、カラービデオイメージであり、第１のカメラ１０は、好ましくは、カラービデオを生成するためのビデオカメラである。そのような例では、第１のカメラ１０は、デジタルビデオカメラであることが可能である。カラーのビデオカメラを有することにより、個人の識別特徴をキャプチャすることが可能である。識別特徴には、髪の色、目の色、衣服の詳細などが含まれることが可能である。
【００１６】
第１のカメラ１０は、イメージがキャプチャされるべき個人が、その個人のイメージがキャプチャされる時点で位置している第１の視野１２に焦点が合わされたレンズ１１を有する。
【００１７】
第１のカメラ１０からの第１のイメージデータは、第１の線１３を伝わって第１のビデオサーバ１４まで送られる。第１の線１３は、要求される場合、または所望される場合、無線リンクであってもよい。第１のビデオサーバ１４は、線１５で中央ビデオサーバ３０に接続される。線１５は、ＬＡＮ、ＷＡＮ、インターネット、またはその他のネットワークを介する無線リンクであることが可能である。好ましくは、ネットワークは、ＴＣＰ／ＩＰイーサネット（登録商標）（Ｒ）ネットワークである。中央サーバ３０は、動作可能なように、モニタ３１に接続される。モニタ３１は、表示スクリーン３２を有する。
【００１８】
また、個人の第２の形態のイメージを提供するための第２のカメラ２０も存在する。第２の形態のイメージは、好ましくは、サーマルイメージであり、第２のカメラ２０は、好ましくは、例えば、ニュージャージー州オークランド所在のＭｉｋｒｏｎ  Ｉｎｆｒａｒｅｄ社によって供給されるサーマルイメージングカメラなどの、サーマルイメージングカメラである。サーマルイメージであるため、これは、本質的にカラーである。
【００１９】
第２のカメラ２０は、イメージがキャプチャされるべき個人が、そのイメージがキャプチャされる際に位置している第２の視野２２に焦点が合わされたレンズ２１を有する。第２の視野２２は、第１の視野１２と少なくとも重なり合い、したがって、それらが同一の人物のものであると確認することができる。好ましくは、第２の視野２２は、第１の視野１２と一致し、第１の視野１２の範囲内に位置する。第２の視野２２は、より好ましくは、第１の視野１２のサイズ以下のサイズである。このようにして、２つのイメージは揃い、表示された場合、同一の個人の同一の全体的なビューである。これにより、オペレータが、２つのイメージが同一の個人のものであるとより正確に判定することが可能になる。また、これにより、見えている被写体の第１のビューから第２のビューへのマッピング、および第２のビューから第１のビューへのマッピングも可能になる。これは、第１のビューと第２のビューが同一の個人のものであると確認するのに役立つ可能性がある。
【００２０】
第２のカメラ２０からの第２のイメージデータは、第２の線２３を伝わって第２のビデオサーバ２４まで送られる。第２の線２３は、要求される場合、または所望される場合、無線リンクであってもよい。また、第２のビデオサーバ２４は、好ましくは、線１５で、中央ビデオサーバ３０にも接続される。
【００２１】
カメラ１０、２０は、別々の筐体に入っていても、１つの筐体内部に含まれていてもよい。カメラ１０、２０は、視誤差を最小限に抑えるように比較的接近していることが好ましい。
【００２２】
カメラ１０、２０は、個人が、第２の視野２２に入っており、そのため、第１の視野１２に入っている場合に、イメージを同時に、好ましくは、継続的にキャプチャする。通常モードでは、カメラ１０、２０は、およそ毎秒２５フレームでイメージをキャプチャする。しかし、イメージのキャプチャは、例えば、毎秒２４フレーム、毎秒１０フレーム、毎秒４フレーム、毎秒１フレームなどの、異なる間隔であってもよい。一部の状況では、キャプチャされるイメージは、静止イメージであってもよい。イメージのキャプチャは、個人が、第２の視野２２に入っている間、継続されなければならない。イメージのキャプチャの初期設定は、オペレータによって行われても、既知の動き感知技術によって行われてもよい。同様に、イメージのキャプチャの停止も、オペレータによって決められても、既知の動き感知技術によって行われてもよい。
【００２３】
図２を参照すると、個人が、管理された環境（４０）に入ると、その個人は、第２の視野２２を有する区域を通って歩き、これにより、第１の視野１２を通って歩く。管理された環境には、例えば、空港、船のターミナル、鉄道の駅、病院、オフィスビル、軍用基地、工場、商業施設などの場所が含まれる。これらは、セキュリティが問題となる可能性がある場所である。セキュリティには、武器の検出、疑わしい個人を識別することなどが含まれるだけでなく、伝染病を有する可能性がある人々を検出することも含まれる。カメラ１０、２０は、個人の少なくとも顔のイメージをキャプチャする（４１）。個人の顔は、両方のカメラ１０、２０によってキャプチャされなければならない。第２のカメラ２０は、必要に応じて、上半身、胴体などを含め、顔だけではなしにキャプチャすることができる。
【００２４】
図５をさらに参照すると、カメラ１０、２０によってそれぞれキャプチャされた第１のイメージおよび第２のイメージは、デジタルイメージデータとして、それぞれサーバ１４、２４にフレームごとに送られ（７０）、それぞれサーバ１４、２４によって処理される。次に、デジタルイメージデータは、中央ビデオサーバ３０に送られ、モニタ３１のスクリーン３２上でリアルタイムで表示される。好ましくは、第１のイメージと第２のイメージは、例えば、横並びに、上下になどの、隣接する関係で表示される。このようにして、中央ビデオサーバ３０におけるオペレータは、スクリーン３２を見て、スクリーン３２上に表示された第１のイメージ３３、およびスクリーン３２上に表示された隣接する第２のイメージ３４によって個人を識別することができる。好ましくは、オペレータは、ｘ，ｙ座標を入力して（７１）、いずれかのイメージ、または両方のイメージに関する関心領域を指定することができる。これは、個人のイメージを一方のビューから他方のビューにマッピングするのに役立つことが出来、２つのビューが、同一の個人のものである、確認に役立つことが出来る。
【００２５】
第２のイメージ３４は、サーマルイメージであるので、個人を識別しない。第１のイメージ３３は、ビデオイメージであるので、カメラ１０、２０によってイメージがキャプチャされた個人をオペレータが識別するのを可能にする。第１のイメージ３３は、所望される場合、セキュリティ目的で、既知のイメージ認識技術によって分析されてもよい。
【００２６】
図１に示すとおり、第２のイメージ３４は、イメージの一部として表示されたカラー／温度チャート３５を有する。図２で、オペレータが、所定の最高温度を超える温度に対する色が存在することを検出した場合（４２）、これは、その個人に熱が出ている可能性があることを示し、このため、警備員に警報が出される（４３）。その個人は、さらなる検査のためにチェックポイントに誘導される（４４）。所定の最高温度は、例えば、３７．５℃であることが可能である。しかし、所定の最高温度は、例えば、３７℃、３８℃、３８．５℃などの、通常の体温（３６．４℃）を超える、他の任意の可能な温度であることが可能である。
【００２７】
所定の最高温度を超える温度に対する色が存在しないことをオペレータが検出した場合、その個人は、進むことが許される（４５）。
また、システムは、異常に低い温度、つまり、所定の最低限より低い温度に関して調べることもできる。これを図３に示す。この場合、手続きは、図２の場合と全く同一であり、このため、同様のプロセスは、同様の、ただし、４ではなく、５という接頭の数字が付いた同様の符号を有する。この場合、オペレータは、カラー／温度チャート３５が、ある温度に対する色を示して、その個人の上で熱を生じない物品の存在を示すかどうかを確認する。その物品は、例えば、爆破装置である可能性がある。所定の最低温度は、例えば、３６℃、３５．５℃、３５℃などであることが可能である。個人の一部が、所定の最低温度より低い場合（５２）、爆破装置などが、個人に取り付けられている、または装着されている可能性がある。オペレータは、警備員に警報を出し（５３）、その個人は、さらなるプロセスのためにチェックポイントに連れて行かれる（５４）。
【００２８】
図２の実施形態は、図３の実施形態と組み合わせて、オペレータが、最高の所定の温度と、最低の所定の温度に関して調べるようにすることができる。つまり、検査は、最低の所定の温度から最高の所定の温度までの許容できる温度範囲に関してである。その範囲を外れたいずれの温度も、許容できず、警備員に警報が出される。
【００２９】
オペレータは、長い時間にわたって高い度合いの集中力を維持しなければならず、相対的な色は、主観的であるため、図４は、判定サポートシステムが含まれる第３の実施形態を示す。この場合も、同様のプロセスは、４または５ではなく、６という接頭の数字が付いた同様の符号を使用する。
【００３０】
違いは、プロセスステップ６３および６３にある。この場合、第２のイメージ３４に関するイメージデータが、サーマルイメージ処理システムによって分析され、システムは、温度が、所定の最高温度より高いかどうか、および／または温度が、所定の最低温度より低いかどうか、すなわち、許容できる温度範囲を外れているかどうかを判定する。「はい」である場合、警報が鳴らされ、その個人は、さらなる検査のためにチェックポイントに誘導される（６３）。「いいえ」である場合、その個人は、進むことが許される（６５）。
【００３１】
図５に示すとおり、イメージ処理システムは、フレームごとに判定を行う（７２）。温度が、所定の最高および／または最低を外れていない場合、イメージ処理システムは、次のフレームに進む。「はい」の結果が達せられた場合、イベントが生成される（７３）。イベントは、警告、警報などであることが可能である。
【００３２】
また、システムは、中央サーバ３０が、すべての第１のイメージ３３およびすべての第２のイメージ３４を記録し、記録されたイメージ３３、３４をイメージデータとして格納することも可能にする。これを図６に示す。記録は、好ましくは、フレームごとに行われる。イメージデータは、好ましくは、格納の前に、日付、時刻、および場所が刻印される。これは、レコーディングデータを入力するようにというオペレータに対する指示の結果としてであることが可能である（７６）。格納は、少なくとも所定の期間にわたらなければならない。所定の期間は、状況に依存する。疾病対策の場合、所定の期間は、疾病の潜伏期より長くなければならず、空港の場合、所定の期間は、予期される飛行時間より長くなければならない。
【００３３】
好ましくは、スクリーン表示は、オペレータが、記録を管理することを可能にする数（好ましくは３）のインタフェースを含む。インタフェースは、記録の開始、記録の終了、および再生機能をすべて、マウスクリックによって制御することができる。表示システムが起動されると、インタフェースが表示される。オペレータが、記録の開始を選択すると、レコードデータが入力されることが要求される。レコードデータには、オペレータＩＤ、場所、日付と時刻が含まれることが可能である。場所は、例えば、空港出発ゲート、建物の入口などであることが可能である。
【００３４】
レコードデータが入力されると（７６）、記録が始まり（７７）、オペレータが「停止」を選択するまで続く（７８）。次に、終了レコードデータが入力されることが可能である（７９）。終了レコードデータは、例えば、オペレータＩＤおよび時刻であることが可能である。
【００３５】
多くの状況では、個人は、カメラ１０、２０によってイメージがキャプチャされるのと同時に、何らかの形態の身分証明を提示することを要求される可能性がある。身分証明は、セキュリティパス、航空便の搭乗券、アクセスコード、身分証明書、旅券などであることが可能である。身分証明に関するデータは、システムによってキャプチャされることが可能である。そのデータも、イメージ３３、３４とともにスクリーン３２上で表示されることが可能であり、イメージ３３、３４に関するイメージデータとともに記録され、格納されることも可能である。
【００３６】
このようにして、要求される場合、以前に記録されたイメージにまで後戻りし、身元証明および／または顔の特徴によって個々の人を識別することが可能である。これは、セキュリティ管理および／または疾病対策のために重要である可能性がある。
【００３７】
以上の説明で、本発明の好ましい諸実施形態を説明してきたが、本発明を逸脱することなく、設計、構成、または動作の詳細において、多くの変形および変更を行うことができることが、当業者には理解されよう。
【図面の簡単な説明】
【００３８】
【図１】全体的なシステムアーキテクチャを示す図である。
【図２】第１の形態のプロセスを示す流れ図である。
【図３】第２の形態のプロセスを示す流れ図である。
【図４】第３の形態のプロセスを示す流れ図である。
【図５】イメージ処理システムを示す流れ図である。
【図６】イメージ記録システムを示す流れ図である。
【図１】
2006528474.tif 000003
【図２】
2006528474.tif 000004
【図３】
2006528474.tif 000005
【図４】
2006528474.tif 000006
【図５】
2006528474.tif 000007
【図６】
2006528474.tif 000008
【国際調査報告】
2006528474.tif 000009
2006528474.tif 000010